(57)【要約】【課題】展開状態の可撓シートに上載された野菜の重量を、表示手段を目視しながら調整することができ、作業の二度手間がなく、作業性の向上を図る野菜袋詰め装置を提供する。【解決手段】野菜を受ける展開状態と、野菜を外側から包囲する巻込み状態とに、可撓シート２４を開閉状態に支持する左右一対のアーム２０，２３と、左右一対のアーム２０，２３を同時駆動する足踏みペダル機構３３とを備えたものにおいて、可撓シート２４に上載された野菜の重量を計量する計量手段５２と、計量手段５２で計量された野菜の重量を可視表示する表示手段６とを備えたことを特徴とする。【選択図】図１
2013246000.tif 000002
【特許請求の範囲】
【請求項１】
野菜を受ける展開状態と、野菜を外側から包囲する巻込み状態とに、可撓シートを開閉状態に支持する左右一対のアームと、
上記左右一対のアームを同時駆動する足踏みペダル機構とを備えた野菜袋詰め装置であって、
上記可撓シートに上載された野菜の重量を計量する計量手段と、
上記計量手段で計量された野菜の重量を可視表示する表示手段とを備えた
野菜袋詰め装置。
【請求項２】
上記左右一対のアームは、基台に立設した支持柱で支持され、
上記計量手段は基台の下部に設けられ、
上記表示手段は巻込み状態における左右一対のアームよりも上方に位置するよう上記支持柱の上方部に設けられた
請求項１記載の野菜袋詰め装置。
【請求項３】
上記足踏みペダル機構は、その踏込み荷重が計量手段に作用しないよう該計量手段の外側方に配置された
請求項１または２記載の野菜袋詰め装置。
【発明の詳細な説明】
【技術分野】
【０００１】
この発明は、ほうれん草、小松菜、菊菜、チンゲンサイなどの野菜を袋詰めする野菜袋詰め装置に関し、詳しくは、野菜を受ける展開状態と、野菜を外側から包囲する巻込み状態とに、可撓シートを開閉可能に支持する左右一対のアームと、該アームを左右同時駆動する足踏みペダル機構とを備えたような野菜袋詰め装置に関する。
【背景技術】
【０００２】
一般に、上述例の葉菜類の野菜は小さな包装袋に小分けして出荷されるが、野菜収穫後、野菜に付着している泥などを水で洗い流し、水切りした後の野菜はその表面の水分により直接包装袋に挿入することが困難であるから、従来、特許文献１で開示された野菜袋詰め装置が既に発明されている。
【０００３】
この特許文献１に開示された野菜袋詰め装置は、支持体と、野菜を受ける可撓シート状受材と、略水平に突出状として上記支持体に支持されると共に、上記可撓シート状受材を、Ｕ字状展開状態と筒状巻込み状態とに変形切換え自在に支持する一対の第１、第２開閉作動アームと、上記可撓シート状受材がＵ字状展開状態または筒状巻込み状態に変化するように、上記第１、第２開閉作動アームを同時に作動させる足踏みペダル機構と、を備えている。
【０００４】
この従来の野菜袋詰め装置を用いて、野菜を小分けして袋詰めするには、野菜に付着した泥などを水洗いして除去し、水切りした後に、Ｕ字状展開状態の可撓シート状受材に野菜を上載し、次に足踏みペダル機構のペダルを踏込んで一対の開閉作動アームを閉方向に操作すると、野菜は可撓シート状受材でその外側から包囲するように巻込まれる。
【０００５】
次に、野菜を包囲した可撓シート状受材に小分けすべきビニル袋などの包装袋で外嵌した後に、この包装袋の上から野菜の根部または茎部としての基部を手で把持して、包装袋と野菜を手前側に引くと、可撓シート状受材から包装袋と野菜が完全に引抜かれて、袋詰め作業が完了する。  
したがって、新鮮な野菜を簡単かつ素早く包装袋に小分けして袋詰めすることができる。
【０００６】
しかしながら、従来の野菜袋詰め装置においては、Ｕ字状展開状態の可撓シート状受材に野菜を上載する際、定量化を確保するために、一旦野菜を別途設けられた許量装置に載せてその重量を計測し、野菜の重量が所定の重量になるよう増減操作し、野菜の重量が所定値になった時、この野菜を計量装置からＵ字状展開状態の可撓シート状受材に載せ換える作業が必要となるので、作業が二度手間となり、作業性が悪い問題点があった。
【先行技術文献】
【特許文献】
【０００７】
【特許文献１】実用新案登録第３００２８８７号公報
【発明の概要】
【発明が解決しようとする課題】
【０００８】
そこで、この発明は、可撓シートに上載された野菜の重量を計量する計量手段と、該計量手段で計量された野菜の重量を可視表示する表示手段とを備えることで、展開状態の可撓シートに上載された野菜の重量を、表示手段を目視しながら調整することができ、作業の二度手間がなくなり、作業性の向上を図ることができる野菜袋詰め装置の提供を目的とする。
【課題を解決するための手段】
【０００９】
この発明による野菜袋詰め装置は、野菜を受ける展開状態と、野菜を外側から包囲する巻込み状態とに、可撓シートを開閉状態に支持する左右一対のアームと、上記左右一対のアームを同時駆動する足踏みペダル機構とを備えた野菜袋詰め装置であって、上記可撓シートに上載された野菜の重量を計量する計量手段と、上記計量手段で計量された野菜の重量を可視表示する表示手段とを備えたものである。  
上述の野菜としては、ほうれん草、小松菜、菊菜、チンゲンサイその他の葉菜類を用いることができる。  
また、上述の計量手段としては、電子重量計が好ましい。
【００１０】
上記構成によれば、上述の計量手段と表示手段とを設けたので、展開状態の可撓シートに上載された野菜の重量を、表示手段を目視しながら調整することができ、この結果、作業の二度手間がなくなり、作業性の向上を図ることができる。
【００１１】
この発明の一実施態様においては、上記左右一対のアームは、基台に立設した支持柱で支持され、上記計量手段は基台の下部に設けられ、上記表示手段は巻込み状態における左右一対のアームよりも上方に位置するよう上記支持柱の上方部に設けられたものである。
【００１２】
上記構成によれば、計量手段を基台の下部に設けたので、該計量手段を、野菜重量を計測しやすい位置に、かつ安定して配設することができる。  
また、表示手段を巻込み状態における左右一対のアームよりも上方に位置させたので、可撓シートの巻込み状態下においても、表示手段の表示内容が目視でき、作業の確認性向上を図ることができる。
【００１３】
この発明の一実施態様においては、上記足踏みペダル機構は、その踏込み荷重が計量手段に作用しないよう該計量手段の外側方に配置されたものである。  
上記構成によれば、足踏みペダル機構の配設位置を、計量手段の外側方に特定したので、計量手段に対して足踏みペダル機構の踏込み荷重が作用することがなく、計量手段の精度維持と計量手段の耐久性向上とを図ることができる。
【発明の効果】
【００１４】
この発明によれば、可撓シートに上載された野菜の重量を計量する計量手段と、該計量手段で計量された野菜の重量を可視表示する表示手段とを備えたので、展開状態の可撓シートに上載された野菜の重量を、表示手段を目視しながら調整することができ、作業の二度手間がなくなり、作業性の向上を図ることができる効果がある。
【図面の簡単な説明】
【００１５】
【図１】本発明の野菜袋詰め装置を示す概略斜視図
【図２】野菜袋詰め装置の正面図
【図３】可撓シートを取外した状態で示す正面図
【図４】図２の右側面図
【図５】図３の右側面図
【図６】野菜袋詰め装置の要部の平面図
【図７】可撓シートを取外した状態で示す要部平面図
【図８】表示手段の正面図
【図９】（ａ）は展開状態と巻込み状態との中間の状態を示す正面図、（ｂ）は巻込み状態を示す正面図
【図１０】（ａ）は展開状態の可撓シートに野菜を上載した時の正面図、（ｂ）はその右側面図
【図１１】（ａ）は可撓シートによる巻込み中途状態の正面図、（ｂ）はその右側面図
【図１２】（ａ）は可撓シートによる巻込み状態の正面図、（ｂ）はその右側面図
【図１３】（ａ）は包装袋外嵌時の説明図，（ｂ）は包装袋および野菜の引抜き初期の説明図、（ｃ）は引抜き完了時の説明図
【図１４】野菜袋詰め装置の他の実施例を示す部分正面図
【図１５】表示手段の支持構造の他の実施例を示す部分側面図
【発明を実施するための形態】
【００１６】
展開状態の可撓シートに上載された野菜の重量を、表示手段を目視しながら調整することができ、作業の二度手間がなくなり、作業性の向上を図るという目的を、野菜を受ける展開状態と、野菜を外側から包囲する巻込み状態とに、可撓シートを開閉状態に支持する左右一対のアームと、上記左右一対のアームを同時駆動する足踏みペダル機構とを備えた野菜袋詰め装置において、上記可撓シートに上載された野菜の重量を計量する計量手段と、上記計量手段で計量された野菜の重量を可視表示する表示手段とを備えるという構成にて実現した。
【実施例１】
【００１７】
この発明の一実施例を以下図面に基づいて詳述する。  
図面は野菜袋詰め装置を示し、図１はその概略斜視図、図２は正面図、図３は可撓シートを取外して示す正面図、図４は野菜袋詰め装置の右側面図、図５は可撓シートを取外して示す右側面図である。  
図１〜図５において、方形平板状の基台１を設け、この基台１には上下方向に延びるパイプ製の支持柱２（いわゆる支柱）を立設している。この支持柱２は後述する左右一対のアーム２０，２３を支持するものである。  
上述の支持柱２の上端を偏平に加工し、この偏平部３には角度調整軸４を介してブラケット５を取付け、該ブラケット５の筒部５ａには、少なくとも野菜の重量を可視表示する表示手段としてのディスプレイ装置６を取付けている。
【００１８】
図４，図５に示すように、上述の支持柱２の上下方向中間部における上方側には、高さ調整ネジ７により高さ調整可能に構成されたパイプ８を外嵌固定し、このパイプ８の前部にはスペーサ９を介して、上下方向に延びるフレーム１０を固定している。  
また、該フレーム１０の上下方向中間部における前面には、横方向に延びるブラケット１１を固定している。
【００１９】
図６，図７はアーム軸支部位で断面した平面図であって、図６，図７に示すように、固定部材としてのフレーム１０の上部には、長尺のボルト製のアーム支持軸１２を前後方向に指向させて取付け、このアーム支持部１２には左右一対のアームブラケット１３，１４を前後方向に離間させ、かつ揺動可能に配設している。  
ここで、前側に位置するアームブラケット１３と、後側に位置するアームブラケット１４との間におけるアーム支持軸１２外周には、カラー１５を介設すると共に、後側に位置するアームブラケット１４と、フレーム１０との間におけるアーム支持軸１２外周にもカラー１６を介設し、さらに、フレーム１０から後方へ突出したアーム支持軸１２のネジ部にはダブルナット構造のナット１７，１７を螺合して、各要素１０，１３，１４の前後位置関係を適切に保っている。
【００２０】
図６，図７に示すように、前側に位置するアームブラケット１３には、２本のボルト１８，１９を用いて、平面視Ｌ字状のアーム２０を、左右方向に位置調整可能に取付けている。上述のアーム２０はその取付け基部にスリット２０ａを有しており、２本のボルト１８，１９のうち内側のボルト１８はスリット２０ａ内に位置して、ガイド部として作用し、外側のボルト１９はアーム２０をアームブラケット１３のネジ孔に締結する締結部材として作用する。
【００２１】
同様に、後側に位置するアームブラケット１４にも、２本のボルト２１，２２を用いて、平面視Ｌ字状のアーム２３を、左右方向に位置調整可能に取付けている。上述のアーム２３もその取付け基部にスリット２３ａを有しており、２本のボルト２１，２２のうち内側のボルト２１はスリット２３ａ内に位置して、ガイド部材として作用し、外側のボルト２２はアーム２３をアームブラケット１４のネジ孔に締結する締結部材として作用する。
【００２２】
図６に示すように、左右一対のアーム２０，２３の前端２０ｂ，２３ｂの位置を揃え、これら一対のアーム２０，２３間には図示しないホックを用いて可撓シート２４を着脱可能に取付けている。  
上述の可撓シート２４は一対のアーム２０，２３間に若干下方へ撓ませて横架されており、図１，図４に示すように、その前端の撓み量が相対的に小さく、その後端の撓み量が相対的に大きくなるように形成されている。  
なお、可撓シート２４の形状は図示実施例の形状に限定されるものではなく、水平片の左端から左斜め上方に立上がる側片と、水平片の右端から右斜め上方に立上がる側片とを連設した正面視略凹形状の可撓シートであってもよい。  
上述の左右一対のアーム２０，２３は、可撓シート２４を、図１０に示す野菜Ｖを受ける展開状態（図１０参照）と、野菜Ｖをその外側から包囲する巻込み状態（図１２参照）とに開閉可能に支持するものである。
【００２３】
図２，図３，図４，図５に示すように、横方向に延びるブラケット１１には、プーリ軸２５，２６を介して左右のプーリ２７，２８を左右方向に離間して取付けている。また上下方向に延びるフレーム１０の下部左右にも、プーリ軸２９，３０を介して左右のプーリ３１，３２を左右方向に離間して取付けている。
【００２４】
一方、図１〜図５に示すように、上述の基台１の上部には、左右一対のアーム２０，２３を同時駆動する足踏みペダル機構３３を取付けている。  
この足踏みペダル機構３３は、基台１に固定された一対のペダル支持ブラケット３４，３４と、これらペダル支持ブラケット３４，３４間に横架されたペダル支軸３５に回動可能に枢支された角パイプ製のペダルアーム３６と、このペダルアーム３６の右側面に固定された支持柱２から遠ざかる方向に延びるペダル３７と、ペダルアーム３６の遊端部に固定され支持柱２に近づく方向に延びる突片３８と、を備えている。
【００２５】
また、上述のペダルアーム３６の遊端部の下方に対応して、基台１上面にはゴム製のストッパ３９を設け、このストッパ３９でペダルアーム３６の可動位置を規制している。  
そして、上述の一対のアームブラケット１３，１４と、足踏みペダル機構３３の突片３８との間には、ペダル３７による踏込み力を左右一対のアーム２０，２３に伝達する伝達手段４０を設けている。
【００２６】
図１〜図５に示すように、上述の伝達手段４０は、前側に位置するアームブラケット１３右端部の係合孔１３ａ（図６，図７参照）に係合させたＳ字状の上部フック４１と、この上部フック４１に連結されプーリ２７，３１で案内されて下方に延びる線条体としてのワイヤＷ１と、後側に位置するアームブラケット１４左端部の係合孔４１ａ（図６，図７参照）に係合されたＳ字状の上部フック４２と、この上部フック４２に連結されプーリ２８，３２で案内されて下方に延びる線条体としてのワイヤＷ２と、上述の各ワイヤＷ１，Ｗ２をクリップ４３（止め金具）で一体的に係止し、これら各ワイヤＷ１，Ｗ２を一体に係合させるＳ字状の中間フック４４と、足踏みペダル機構３３の突片３８に係合させたＳ字状の下部フック４５と、上述の中間フック４４と下部フック４５とを上下方向に連結する線条体としてのチェーンＷ３と、を備えている。
【００２７】
図１に示すペダル支軸３５を支点としてペダル３７を矢印ａで示す下方に踏込むと、ペダルアーム３６および突片３８を介して伝達手段４０が矢印ｂで示す下方に牽引されるので、アーム支持軸１２を開閉支点として左側のアームブラケット１３およびアーム２０と、右側のアームブラケット１４およびアーム２３とが同図に矢印ｃで示す閉方向に同時に揺動し、図９の（ａ）に示す開閉中途状態を経て、図９の（ｂ）に示す巻込み状態と成すものである。
【００２８】
図１，図２，図３に示すように、横方向に延びるブラケット１１の左右の上角部に突出したロッド状のスプリングリテーナ４６，４７と各アームブラケット１３，１４との間には、各要素１３，１４，２０，２３を図１〜図７に示すノーマル状態に復帰させるためのリターンスプリング４８，４９のバネ力は伝達手段４０を介して足踏みペダル機構３３の突片３８にも作用しているので、図１〜図５に示すように、支持柱２の上下方向中間部における下方側には該支持柱２に外嵌固定したパイプ５０にペダルストッパ５１を溶接固定し、このペダルストッパ５１を足踏みペダル機構３３のノーマル状態（踏込み前の状態）下における突片３８の上端部に当接させている。
【００２９】
ところで、図１〜図５に示すように、上述の基台１の下部には可撓シート２４に上載された野菜Ｖ（図１０参照）の重量を計量する計量手段としての電子計量装置５２を設けている。  
この電子計量装置５２は、撓むことにより上部からの重量を検知する検知部５３と、装置本体５４とを有し、装置本体５４は重量に対応して電気量が変化し、この変化した電気量を増幅およびＡ／Ｄ変換してディスプレイ装置６に出力するものである。  
上述の電子計量装置５２としては、例えば、ロードセル内蔵型のものを用いることができ、歪みゲージによるものは電気抵抗値が変化し、磁気歪みによるものは磁気変化が得られ、また静電容量が変化するタイプのものを用いることもできる。  
何れにしても、上部からの重量に対応して電気量が変化するので、この変化した電気量を増幅およびアナログ・デジタル変換して上述のディスプレイ装置６に出力するように構成している。
【００３０】
ここで、上述の電子計量装置５２は、下部に支持脚５５を有するロアフレーム５６，５６により支持されている。なお、上述の支持脚５５に代えて、野菜袋詰め装置の可搬性を考慮してキャスタを用いてもよい。  
また、上述の電子計量装置５２とディスプレイ装置６とを電気的に接続するハーネスは、パイプ製の支持柱２の内部を通して配索することができる。
【００３１】
図１〜図５で示したように、電子計量装置５２で計量された野菜Ｖの重量を可視表示する表示手段としてのディスプレイ装置６は、巻込み状態（図９の（ｂ）、図１２参照）における左右一対のアーム２０，２３よりも上方に位置するよう上述の支持柱２の上方部に設けられている。
【００３２】
図４に示すように、上述のディスプレイ装置６は角度調整軸４により同図に矢印ｄで示す前後方向に調整可能に構成されると共に、装置本体の下部軸６ａを筒部５ａに沿って回動調整することにより、同図に矢印ｅで示す左右方向に調整可能に構成されており、野菜Ｖの袋詰め作業スペースの照明条件下において図８に示す表示面６０を最も視認しやすい角度に調整することができるように構成されている。
【００３３】
図８はディスプレイ装置６の拡大正面図であって、このディスプレイ装置６は野菜重量をデジタル表示する重量表示部６１と、袋詰め回数をデジタル表示する回数表示部６２と、電源スイッチ６３と、リセットスイッチ６４とを備えている。  
上述の重量表示部６１は、７セグメント型３桁の表示部で構成しているが、必要に応じて小数点第１位まで表示できる表示部を採用してもよい。また、回数表示部６２は７セグメント型２桁の表示部で構成しているが、必要に応じて７セグメント型３桁の表示部を採用してもよく、例えば、ペダルアーム３６の踏込みを検出する図示しないリミットスイッチのＯＮ、ＯＦＦ回数をカウントすることで回数値を袋詰め回数として加算表示してもよく、あるいは、電子計量装置５２の出力である電気量が所定しきい値を超えた回数をカウントして、このカウント値を袋詰め回数として加算表示してもよい。
【００３４】
また、上述のリセットスイッチ６４は、可撓シート２４上に何も載っていない時に重量表示部６１の表示内容を「０グラム」とするゼロリセット用のスイッチ６４で、野菜重量計測毎にＯＮ操作されるものである。  
このため、仮に野菜から水洗い除去した泥やその他の非計量対象物が基台１上に付着または上載されても、正確な計量が行なわれる。
【００３５】
図示実施例は上記の如く構成するものにして、以下、野菜の袋詰め作業について説明する。  
まず、図１０の（ａ）（ｂ）に示すように、ノーマル状態である可撓シート２４の展開状態において、該可撓シート２４の湾曲した凹部に野菜Ｖを上載する。この時、図１０の（ｂ）に示すように、野菜Ｖの根部または茎部などの基部Ｖａを、可撓シート２４から手前側へ突出させる。  
可撓シート２４上に野菜Ｖが上載されると、その重量が電子計量装置５２で計量され、この計量結果がディスプレイ装置６の重量表示部６１に可視表示されるので、作業者は該表示部６１を目視しながら可撓シート２４への野菜上載重量を増減調整して、その重量を定量値に設定することができる。
【００３６】
次に、足踏みペダル機構３３のペダル３７を図１の矢印ａに示すように足で踏込むと、足踏みペダル機構３３の突片３８により伝達手段４０が下方に引っ張られるので、図１１の（ａ）に示すように、正面視で、可撓シート２４の左右両端縁が、アーム支持軸１２を中心とする円弧を描きつつ、相互に接近して、湾曲状の凹部が閉じてゆき、可撓シート２４が野菜Ｖを巻込んでいく。この時、野菜Ｖの葉は、可撓シート２４が描く円弧の中心方向へと徐々にまとめられる。
【００３７】
そして、足踏みペダル機構３３のペダルアーム３６がゴム製のストッパ３９に当接すると、ペダル３７の揺動が止まる。この時、図１２の（ａ）に示すように、可撓シート２４は、その左右両端縁が最も近接した略筒状の巻込み状態となる。  
この巻込み状態では、野菜Ｖの基部Ｖａを除く略全体が、可撓シート２４で外側から包囲される。  
なお、予め、図６，図７で示すボルト１９またはボルト２２の操作により一方のアーム（２０または２３）のアーム支持軸１２からの離間長さを、他方のアーム（２３または２０）のそれよりも長く設定しておくと、可撓シート２４の左右両端縁が相互にオーバラップした筒状の巻込み状態となる。
【００３８】
次に、ペダル３７を足で踏み続けて、上述の巻込み状態を保持したまま、図１３の（ａ）に示すように、手前側から野菜Ｖの基部Ｖａおよび可撓シート２４に、ビニル袋などの包装袋Ｂを両手で持って外嵌させる。  
この時、野菜Ｖの主要な部分は可撓シート２４で外側から包囲されているので、包装袋Ｂを外嵌する際に，野菜Ｖの葉等の弱い部分を傷付けるおそれがなく、また、葉菜類のように、葉の部分が嵩張る野菜Ｖであっても、可撓シート２４で、葉の部分がコンパクトにまとめられているため、包装袋Ｂを、簡単かつ迅速に外嵌することができる。
【００３９】
次に、図１３の（ｂ）に示すように、包装袋Ｂの上から野菜Ｖの基部Ｖａを把持して、包装袋Ｂと野菜Ｖを手前側へ引く。この際、ペダル３７の踏込み力を若干緩めて可撓シート２４を、やや拡開させると、包装袋Ｂと野菜Ｖがより一層引き抜きやすくなる。
【００４０】
そして、図１３の（ｃ）に示すように、包装袋Ｂと野菜Ｖは、可撓シート２４から完全に引き抜かれると、袋詰め作業が完了する。  
上述の袋詰め作業完了後に、ペダル３７から足を離せば、リターンスプリング４８，４９の付勢力により、可撓シート２４は展開状態に復帰するので、再び図１０から図１３の（ｃ）までの操作を行なうと、順次袋詰め作業を繰り返し行なうことができ、袋詰め回数は図８に示す回数表示部６２に順次カウントアップして表示される。
【００４１】
このように、図１〜図１３で示した実施例の野菜袋詰め装置においては、野菜Ｖを受ける展開状態（図１０参照）と、野菜Ｖを外側から包囲する巻込み状態（図１２参照）とに、可撓シート２４を開閉状態に支持する左右一対のアーム２０，２３と、上記左右一対のアーム２０，２３を同時駆動する足踏みペダル機構３３とを備えた野菜袋詰め装置であって、上記可撓シート２４に上載された野菜Ｖの重量を計量する計量手段（電子計量装置５２参照）と、上記計量手段（電子計量装置５２）で計量された野菜Ｖの重量を可視表示する表示手段（ディスプレイ装置６参照）とを備えたものである（図１，図１０，図１２参照）。
【００４２】
この構成によれば、上述の計量手段（電子計量装置５２）と表示手段（ディスプレイ装置６）とを設けたので、展開状態の可撓シート２４に上載された野菜の重量を、表示手段（ディスプレイ装置６）を目視しながら調整することができ、この結果、作業の二度手間がなくなり、作業性の向上を図ることができる。  
また、上記左右一対のアーム２０，２３には、基台１に立設した支持柱２で支持され、上記計量手段（電子計量装置５２参照）は基台１の下部に設けられ、上記表示手段（ディスプレイ装置６参照）は巻込み状態における左右一対のアーム２０，２３よりも上方に位置するよう上記支持柱２の上方部に設けられたものである（図１参照）。
【００４３】
この構成によれば、計量手段（電子計量装置５２）を基台１の下部に設けたので、該計量手段（電子計量装置５２）を、野菜重量を計測しやすい位置に、かつ安定して配設することができる。  
また、表示手段（ディスプレイ装置６）を巻込み状態における左右一対のアーム２０，２３よりも上方に位置させたので、可撓シート２４の巻込み状態下においても、表示手段（ディスプレイ装置６）の表示内容が目視でき、作業の確認性向上を図ることができる。
【実施例２】
【００４４】
図１４は野菜袋詰め装置の他の実施例を示す部分正面図であって、この実施例２においては、上述の足踏みペダル機構３３の踏込み荷重が計量手段としての電子計量装置５２に作用しないように、該足踏みペダル機構３３を電子計量装置５２の外側方、たとえば、右側外側方に配置したものである。  
また、上述の基台１より広面積のロアベース６５を設け、このロアベース６５を複数の支持脚５５で支持する一方、該ロアベース６５の一方側上部には電子計量装置５２を配設し、該電子計量装置５２の上部に上述の基台１を取付ける一方、ロアベース６５の他方側上部には、断面コの字状の一対のフレーム部材６６，６６を介してベース部材６７を水平に取付け、このベース部材６７と上述の基台１とを面一状に設定し、かつ、ベース部材６７と基台１との間にクリアランスを形成している。
【００４５】
そして、上述の基台１上には支持柱２を立設固定し、ベース部材６７には足踏みペダル機構３３を取付けたものである。  
さらに、左右一対のペダル支持ブラケット３４，３４のうち、上述の支持柱２に近い側のペダル支持ブラケット３４には、その側片と下片とを連結する三角形状のガセット６８を一体的に形成し、またペダルアーム３６における支持柱２に近い側の側面と上述の突片３８の下面との間にも、三角形状のガセット６９を一体的に連結している。  
上述の突片３８にＳ字状の下部フック４５を係合させる一方、該突片３８の上面をペダルストッパ５１で位置規制した構成については先の実施例１と同様である。
【００４６】
このように、図１４で示した実施例２においては、上記足踏みペダル機構３３は、その踏込み荷重が計量手段（電子計量装置５２参照）に作用しないよう該計量手段（電子計量装置５２）の外側方に配置されたものである（図１４参照）。  
この構成によれば、足踏みペダル機構３３の配設位置を、計量手段（電子計量装置５２）の外側方に特定したので、計量手段（電子計量装置５２）に対して足踏みペダル機構３３の踏込み荷重が作用することがなく、計量手段（電子計量装置５２）の精度維持と計量手段（電子計量装置５２）の耐久性向上とを図ることができる。
【００４７】
図１５は表示手段の支持構造の他の実施例を示し、支持柱２の上端とディスプレイ装置６の下部軸６ａとを連結する連結支持構造において、図４で示した実施例１に対して下部軸６ａの長さを長く設定し、図４で示した矢印ｄ，ｅ方向に加えて、筒部５ａに対する下部軸６ａの上下位置をアジャストスクリュ７０で調整することにより、図１５に矢印ｆで示す上下方向にもディスプレイ装置６の位置を調整するように構成したものである。
【００４８】
このように構成すると、上述のディスプレイ装置６を図１５に示す矢印ｄ方向（前後方向）、矢印ｅ方向（左右方向）、矢印ｆ方向（上下方向）にそれぞれ調整できるので、野菜袋詰め作業を行なうスペースの照明条件下および作業者の身長に対応して、その表示面６０が最も視認しやすい角度および位置に調整することができるものである。
【００４９】
この発明の構成と、上述の実施例との対応において、
この発明の表示手段は、実施例のディスプレイ装置６に対応し、
以下同様に、
計量手段は、電子計量装置５２に対応するも、
この発明は、上述の実施例の構成のみに限定されるものではない。
【産業上の利用可能性】
【００５０】
以上説明したように、本発明は、野菜を受ける展開状態と、野菜を外側から包囲する巻込み状態とに、可撓シートを開閉状態に支持する左右一対のアームと、上記左右一対のアームを同時駆動する足踏みペダル機構とを備えた野菜袋詰め装置について有用である。
【符号の説明】
【００５１】
１…基台
２…支持柱
６…ディスプレイ装置（表示手段）
２０，２３…アーム
２４…可撓シート
３３…足踏みペダル機構
５２…電子計量装置（計量手段）
【図１】
2013246000.tif 000003
【図２】
2013246000.tif 000004
【図３】
2013246000.tif 000005
【図４】
2013246000.tif 000006
【図５】
2013246000.tif 000007
【図６】
2013246000.tif 000008
【図７】
2013246000.tif 000009
【図８】
2013246000.tif 000010
【図９】
2013246000.tif 000011
【図１０】
2013246000.tif 000012
【図１１】
2013246000.tif 000013
【図１２】
2013246000.tif 000014
【図１３】
2013246000.tif 000015
【図１４】
2013246000.tif 000016
【図１５】
2013246000.tif 000017